(57)【要約】【課題】記録用紙を取り付けたままポケットに入れて持ち歩くことができる折り畳みバインダーを提供する。【解決手段】矩形平板状の支持部材１１と、支持部材１１の表面の四隅にそれぞれ取り付けられた４個の直角三角形状の蓋片１２とを具備する。支持部材１１の裏面の縦方向中央部に谷折溝１１ａが水平に形成されており、支持部材１１の表面の横方向中央部に山折溝１１ｂが上端から谷折溝１１ａまで垂直に形成されているとともに、支持部材１１の下半分の横方向中央部が谷折溝１１ａから下端まで垂直に切断されているため、支持部材１１は表面を内側として四つ折りできる。蓋片１２の対辺部および隣片部が支持部材１１の表面に固定されているため、記録用紙１の四隅部分を４個の蓋片にそれぞれ差し込むと支持部材１１で記録用紙１を保持できる。【選択図】図１
2018069470.tif 000002
【特許請求の範囲】
【請求項１】
記録用紙（１）を取り付けたまま持ち歩くための折り畳みバインダー（１０）であって、
表面が内側となるように四つ折り可能な矩形平板状の支持部材（１１）と、
該支持部材の表面の少なくとも対角の二隅に取り付けられた、かつ、前記記録用紙を保持するための記録用紙保持手段（１２）と、
を具備することを特徴とする、折り畳みバインダー。
【請求項２】
前記支持部材の裏面の縦方向中央部に、谷折溝（１１ａ）が水平に形成されており、
前記支持部材の表面の横方向中央部に、山折溝（１１ｂ）が該支持部材の上端から前記谷折溝まで垂直に形成されており、
前記支持部材の下半分の横方向中央部が、前記谷折溝から該支持部材の下端まで垂直に切断されている、
ことを特徴とする、請求項１記載の折り畳みバインダー。
【請求項３】
前記記録用紙保持手段が、少なくとも２個の直角三角形状の蓋片（１２）を備え、
該蓋片の対辺部および隣片部が、前記支持部材の表面に固定されており、
前記記録用紙が、少なくとも対角の二隅部分が前記少なくとも２個の蓋片にそれぞれ差し込まれて前記支持部材に保持される、
ことを特徴とする、請求項１または２記載の折り畳みバインダー。
【請求項４】
前記記録用紙保持手段が、両端部が前記支持部材の表面に固定された、かつ、前記記録用紙の少なくとも対角の二隅部分を前記支持部材とで挟んで該記録用紙を前記支持部材に保持するための帯状部材を備えることを特徴とする、請求項１または２記載の折り畳みバインダー。
【請求項５】
前記折り畳みバインダーを開いたときに前記支持部材の下端部の横方向中央部を挟んで該支持部材の下半分を固定するための支持部材固定手段（２０，３０）をさらに具備することを特徴とする、請求項１乃至４いずれかに記載の折り畳みバインダー。
【請求項６】
前記支持部材固定手段が、ダブルクリップ（２０）、または、前記支持部材の下端部の横方向中央部近傍に取り付けられた回転軸および該回転軸を中心として回動可能なＵ字状板を有する固定金具（３０）を備えることを特徴とする、請求項５記載の折り畳みバインダー。
【請求項７】
前記支持部材の裏面の中央部に取り付けられた、かつ、手を挿入して前記折り畳みバインダーを片手で支持するためのベルト（４０）をさらに具備することを特徴とする、請求項１乃至６いずれかに記載の折り畳みバインダー。
【発明の詳細な説明】
【技術分野】
【０００１】
本発明は、送電線の巡視業務等に使用する記録用紙を持ち歩くのに好適な折り畳みバインダーに関する。
【背景技術】
【０００２】
従来、電力会社では、送電線の巡視業務を行う際には、巡視員は、点検した項目にチェックを入れるためのチェック表および過去の異常の経過観察状況を記録したり新規に発見した異常を図化したりするための異常記録表等の記録用紙を用いている。
このとき、巡視員は、例えば図４に示すように矩形平板状の支持部材１１１と支持部材１１１の上中央部に取り付けられた固定部材１１２とを備えたバインダー１１０（下記の特許文献１参照）を用いて記録用紙１を支持部材１１１と固定部材１１２との間に挟んで持ち歩いたり、記録用紙１を小さく折り畳んでポケットに入れて持ち歩いたりしている。
【０００３】
なお、本出願人は、下記の特許文献１において、発電業務におけるユニットの保守・管理作業に際して、作業員の負担軽減および点検作業の時間短縮を図るために、矩形平板状をなす支持部材と、支持部材に取り付けられた固定部材と、支持部材に取り付けられて電源を収容する筐体と、電源から供給される電力により筐体の外側に向けて発光する光源と、光源の点灯・消灯を切り替える切換部材としてのスイッチと、筐体に設けられるとともに可搬性を有する小型電灯を保持する保持部とを備えた点検作業支援装置（バインダー）を提案している。
【先行技術文献】
【特許文献】
【０００４】
【特許文献１】特開２０１４−２２００８３号公報
【発明の概要】
【発明が解決しようとする課題】
【０００５】
しかしながら、巡視員が記録用紙１をバインダー１１０に挟んで持ち歩いたり記録用紙１を小さく折り畳んでポケットに入れて持ち歩いたりすることは、以下に示すような問題があった。
（１）送電線の巡視業務では巡視員は山中を移動するため、バインダー１１０を持って歩くと、転倒したときに手が使えず危険である。
（２）手が自由に使えるようにバインダー１１０をリュックサックに入れて運ぶ場合には、その出し入れに手間がかかる。
（３）記録用紙１をポケットに折り畳んで持ち歩くと、記録用紙１が汗で濡れてしまい破れてしまったり、記録用紙１を誤って紛失したりする。
（４）バインダー１１０を用いないと、バインダー１１０を下敷き代わりにできないために書きづらかったり、風で記録用紙１が飛ばされたりする。
【０００６】
本発明の目的は、記録用紙を取り付けたままポケットに入れて持ち歩くことができる折り畳みバインダーを提供することにある。
【課題を解決するための手段】
【０００７】
本発明の折り畳みバインダーは、記録用紙（１）を取り付けたまま持ち歩くための折り畳みバインダー（１０）であって、表面が内側となるように四つ折り可能な矩形平板状の支持部材（１１）と、該支持部材の表面の少なくとも対角の二隅に取り付けられた、かつ、前記記録用紙を保持するための記録用紙保持手段（１２）とを具備することを特徴とする。
ここで、前記支持部材の裏面の縦方向中央部に、谷折溝（１１ａ）が水平に形成されており、前記支持部材の表面の横方向中央部に、山折溝（１１ｂ）が該支持部材の上端から前記谷折溝まで垂直に形成されており、前記支持部材の下半分の横方向中央部が、前記谷折溝から該支持部材の下端まで垂直に切断されていてもよい。
前記記録用紙保持手段が、少なくとも２個の直角三角形状の蓋片（１２）を備え、該蓋片の対辺部および隣片部が、前記支持部材の表面に固定されており、前記記録用紙が、少なくとも対角の二隅部分が前記少なくとも２個の蓋片にそれぞれ差し込まれて前記支持部材に保持されてもよい。
前記記録用紙保持手段が、両端部が前記支持部材の表面に固定された、かつ、前記記録用紙の少なくとも対角の二隅部分を前記支持部材とで挟んで該記録用紙を前記支持部材に保持するための帯状部材を備えてもよい。
前記折り畳みバインダーを開いたときに前記支持部材の下端部の横方向中央部を挟んで該支持部材の下半分を固定するための支持部材固定手段（２０，３０）をさらに具備してもよい。
前記支持部材固定手段が、ダブルクリップ（２０）、または、前記支持部材の下端部の横方向中央部近傍に取り付けられた回転軸および該回転軸を中心として回動可能なＵ字状板を有する固定金具（３０）を備えてもよい。
前記支持部材の裏面の中央部に取り付けられた、かつ、手を挿入して前記折り畳みバインダーを片手で支持するためのベルト（４０）をさらに具備してもよい。
【発明の効果】
【０００８】
本発明の折り畳みバインダーは、以下の効果を奏する。
（１）記録用紙が取り付けられた表面が内側となるようにして折り畳んでポケットに入るサイズ（例えば、Ａ６サイズ）にできるため、記録用紙を折り畳みバインダーに取り付けたままポケットに入れて持ち歩くことができるとともに、持ち歩く際に記録用紙が汗に濡れ難くしたり記録用紙を紛失し難くしたりすることができる。
（２）ポケットに入れて持ち歩くことができるため、巡視員は持ち歩く際に手が塞がらないとともにリュックに入れる必要もなくなる。
（３）開くと折り畳みバインダーを下敷代わりにできるため、記録用紙に記録し易くすることができる。
（４）折り畳みバインダーで記録用紙を保持できるため、記録用紙が風に飛ばされ難くすることができる。
（５）記録用紙を持って鉄塔に登る送電鉄塔上での点検作業や、手が塞がるとリスクが生じ易い土木工事現場（ビル建設現場等）での作業にも活用することができる。
【図面の簡単な説明】
【０００９】
【図１】本発明の一実施例による折り畳みバインダー１０の構成を示す図であり、（ａ）はその正面図であり、（ｂ）はその背面図であり、（ｃ），（ｄ）はその折り畳み手順について説明するための正面図である。
【図２】図１に示した折り畳みバインダー１０の使用方法について説明するための図であり、（ａ）は記録用紙１が取り付けられた状態の折り畳みバインダー１０の正面図であり、（ｂ）は１回折り畳んだ状態の折り畳みバインダー１０の正面図であり、（ｃ）は２回折り畳んだ状態の折り畳みバインダー１０の正面図である。
【図３】図１に示した折り畳みバインダー１０の変形例について説明するための図であり、（ａ），（ｂ）は変形例１，２による折り畳みバインダー１０の構成を示す正面図であり、（ｃ）は変形例３による折り畳みバインダー１０の構成を示す正面図である。
【図４】従来使用しているバインダー１１０の構成を示す正面図である。
【発明を実施するための形態】
【００１０】
上記の目的を、支持部材を表面が内側となるように四つ折り可能に構成するとともに、記録用紙を保持するための記録用紙保持手段を支持部材の表面の少なくとも対角の二隅に取り付けることによりに実現した。
【実施例１】
【００１１】
以下、本発明の折り畳みバインダーの実施例について図面を参照して説明する。
本発明の一実施例による折り畳みバインダー１０は、図１（ａ），（ｂ）に示すように、矩形平板状の支持部材１１と、支持部材１１の表面の四隅にそれぞれ取り付けられた４個の蓋片１２とを具備する。
【００１２】
ここで、支持部材１１は、図４に示した支持部材１１１と同様に、巡視員による筆記圧が加えられても形状を保持できる程度の硬度を有するプラスチック等の材料から構成されている。
支持部材１１の縦および横の長さは、Ａ４サイズ（縦２９７ｍｍおよび横２１０ｍｍ）よりも上下左右が２ｍｍずつほど大きく（すなわち、縦３０１ｍｍおよび横２１４ｍｍ）されている。
支持部材１１の厚さは、１ｍｍ程度とされている。
【００１３】
支持部材１１の裏面には、図１（ａ）に破線で示すとともに図１（ｂ）に実線で示すように、谷折溝１１ａが縦方向中央部に左端から右端まで水平に形成されている。
これにより、支持部材１１の図１（ｃ）に一点鎖線で示す下半分を同図紙面側に向かって谷折溝１１ａを境として折り返すことにより、折り畳みバインダー１０を表面が内側になるように谷折りして１／２サイズに折り畳むことができるようにされている。
【００１４】
支持部材１１の表面の横方向中央部には、図１（ａ）に実線で示すとともに図１（ｂ）に破線で示すように、山折溝１１ｂが上端から谷折溝１１ａまで垂直に形成されている。
また、支持部材１１の下半分の横方向中央部は、谷折溝１１ａから下端まで垂直に切断されている。
これにより、谷折りした折り畳みバインダー１０の図１（ｄ）に一点鎖線で示す右半分を同図紙面と反対側に向かって山折溝１１ｂを境として折り返すことにより、折り畳みバインダー１０を山折りして１／４サイズに折り畳むことができる。
【００１５】
蓋片１２は、記録用紙１の隅部分（角部分）を差し込んで支持部材１１で記録用紙１を保持するための保持ポケットを支持部材１１と共に形成するものである。
蓋片１２は、プラスチック等の材料から構成されているとともに、対辺および隣辺の長さが２〜３ｃｍの直角三角形状のものである。
４個の蓋片１２は、対辺部および隣片部が支持部材１１の表面に固定されて、支持部材１１の表面の四隅にそれぞれ取り付けられている。
【００１６】
蓋片１２は、直角三角形の直角側の部分が斜辺と平行な線に沿って切り落とされた帯状のもの（帯状部材）であってもよい。
この場合には、蓋片１２の両端部を支持部材１１の表面に固定して、記録用紙１の隅部分を蓋片１２と支持部材１１とで挟んで支持部材１１で記録用紙１を保持する。
【００１７】
また、蓋片１２の代わりにゴムバンド（帯状部材）を使用してもよい。
この場合には、ゴムバンドの両端部を支持部材１１の表面に固定して、記録用紙１の隅部分をゴムバンドと支持部材１１とで挟んで支持部材１１で記録用紙１を保持する。
【００１８】
次に、折り畳みバインダー１０の使用方法について、図２（ａ）〜（ｃ）を参照して説明する。
巡視員は、送電線の巡視業務を行く前に、図２（ａ）に示すように、支持部材１１と４個の蓋片１２とでそれぞれ形成された４個の保持ポケットに記録用紙１の四隅部分をそれぞれ挿入して、記録用紙１を折り畳みバインダー１０の表面に取り付ける。
【００１９】
続いて、巡視員は、図２（ｂ）に示すように、谷折溝１１ａを境として支持部材１１の下半分を折り返して、支持部材１１の表面が内側になるように折り畳みバインダー１０を１／２サイズに折り畳む（図１（ｃ）参照）。
【００２０】
続いて、巡視員は、図２（ｃ）に示すように、山折溝１１ｂを境として折り畳みバインダー１０の右半分を折り返して、折り畳みバインダー１０を１／４サイズに折り畳む（図１（ｄ）参照）。
【００２１】
続いて、巡視員は、１／４サイズに折り畳んだ折り畳みバインダー１０をポケットに入れたのち、巡視業務に出掛ける。
【００２２】
これにより、記録用紙１は折り畳みバインダー１０と共に折り畳まれてポケットに入れられるため、記録用紙１を小さく折り畳んでポケットに入れて持ち歩くことに比べて、巡視員は手が自由に使えるようになるとともに、記録用紙１を誤って紛失することを防止することができる。
また、折り畳みバインダー１０は表面が内側になるように折り畳まれるため、記録用紙１も折り畳みバインダー１０の内側に位置して露出することがないので、記録用紙１を小さく折り畳んでポケットに入れて持ち歩くことに比べて、巡視員が持ち歩いても記録用紙１が汗で濡れてしまい破れてしまうことを防止することができる。
【００２３】
巡視対象である送電線に到着すると、巡視員は、１／４サイズに折り畳まれた折り畳みバインダー１０をポケットから取り出したのち、上述した折り畳みバインダー１０を折り畳む手順と逆の手順で折り畳みバインダー１０を開いていく。
【００２４】
続いて、巡視員は、開いた折り畳みバインダー１０を下敷代わりとして、記録用紙１に巡視結果を記録していく。
【００２５】
このとき、折り畳みバインダー１０の支持部材１１の下半分の横方向中央部は谷折溝１１ａから下端まで切断されているため、ダブルクリップ２０を別に用意しておいて、図３（ａ）に示すようにダブルクリップ２０を用いて支持部材１１の下端部の横方向中央部を挟んで支持部材１１の下半分を固定するようにしてもよい（変形例１）。
【００２６】
また、図３（ｂ）に示すように、支持部材１１の下端部の横方向中央部近傍に取り付けられた回転軸（支持部材１１の表面から裏面まで貫通している。）およびこの回転軸を中心として回動可能なＵ字状板を有する固定金具３０を用いて、Ｕ字状板で支持部材１１の下端部の横方向中央部を挟んで支持部材１１の下半分を固定するようにしてもよい（変形例２）。
【００２７】
さらに、巡視員が記録用紙１に記録し易いように折り畳みバインダー１０を片手で支持するために、図３（ｃ）に示すように、手を挿入するためのベルト４０を支持部材１１の裏面の中央部に取り付けてもよい（変形例３）。
【００２８】
以上の説明では、４個の蓋片１２を支持部材１１の表面の四隅にそれぞれ取り付けたが、２個の蓋片１２を支持部材１１の表面の対角の二隅にそれぞれ取り付けてもよく、また、３個の蓋片１２を支持部材１１の表面の対角の二隅と他の一隅にそれぞれ取り付けてもよい。
【符号の説明】
【００２９】
１  記録用紙
１０  折り畳みバインダー
１１  支持部材
１１ａ  谷折溝
１１ｂ  山折溝
１２  蓋片
２０  ダブルクリップ
３０  固定金具
４０  ベルト
【図１】
2018069470.tif 000003
【図２】
2018069470.tif 000004
【図３】
2018069470.tif 000005
【図４】
2018069470.tif 000006